(57)【要約】【課題】  トレーラの汎用性を低下させることなく、トレーラ側のバッテリーの充電を行い、トレーラの単体時において所定の搭載機器の作動を可能とする。【解決手段】  トラクタから受けた電力をバッテリー１２へと供給する電気配線として、トレーラとトラクタとの連結時に通電されるサイドマーカランプ１６に係る、トレーラ側電力供給回路１８から分岐し、バッテリー１２へと接続される電気配線２０を有する。トレーラ側およびトラクタ側の双方の電線カップリング自体に、トレーラ側のバッテリーを充電するためのソケットおよび専用配線を設ける必要はなく、トラクタから受けた電力をバッテリー１２へと供給するための構成の付加を、トレーラ側のみに施す。  【選択図】      図１
2006015912.tif 000002
【特許請求の範囲】
【請求項１】
トレーラとトラクタとの連結時に当該トラクタから電力供給を受けるバッテリーを備えた電気回路と、トレーラとトラクタとの非連結時に前記バッテリーから所定のトレーラ搭載機器へと電力供給を行う電気回路とを備え、
トラクタから受けた電力を前記バッテリーへと供給する電気配線として、トレーラとトラクタとの連結時に通電されるトレーラ搭載機器に係る、トレーラ側電力供給回路から分岐し、前記バッテリーへと接続される電気配線を有することを特徴とするトレーラの電力供給装置。
【請求項２】
前記所定のトレーラ搭載機器は、トレーラ追跡システム用車載端末であることを特徴とする請求項１記載のトレーラの電力供給装置。
【請求項３】
前記トレーラとトラクタとの連結時に通電されるトレーラ搭載機器は、常時点灯ランプであることを特徴とする請求項１または２記載のトレーラの電力供給装置。
【請求項４】
前記常時点灯ランプはサイドマーカランプであることを特徴とする請求項３記載のトレーラの電力供給装置。
【請求項５】
前記トレーラとトラクタとの連結時に、前記トラクタから受けた電力を前記所定のトレーラ搭載機器へと供給する電気回路を備えることを特徴とする請求項１から４のいずれか１項記載のトレーラの電力供給装置。
【請求項６】
前記所定のトレーラ搭載機器が、前記バッテリーと前記トラクタとのいずれから電力供給を受けているのかを検知する電気回路を備えることを特徴とする請求項１から５の何れか１項記載のトレーラの電力供給装置。
【請求項７】
前記バッテリーおよび前記所定のトレーラ搭載機器の少なくとも一方には、トレーラに対する汎用取付手段が設けられていることを特徴とする請求項１から６のいずれか１項記載のトレーラの電力供給装置。
【請求項８】
前記バッテリーおよび前記所定のトレーラ搭載端末の少なくとも一方は、トレーラのキングピン近傍のフレーム部に搭載されることを特徴とする請求項１から７のいずれか１項記載のトレーラの電力供給装置。
【請求項９】
トレーラとトラクタとの連結時に当該トラクタから電力供給を受けてトレーラのバッテリーに充電を行い、トレーラとトラクタとの非連結時に前記バッテリーから所定のトレーラ搭載機器へと電力供給を行う、トレーラの電力供給方法であって、
トレーラとトラクタとの連結時に通電されるトレーラ搭載機器に係る、トレーラ側電力供給回路から、前記バッテリーへと電力を分配して、トレーラとトラクタとの連結時に前記バッテリーの充電を行い、トラクタからトレーラを分離した状態では、前記バッテリーから前記所定のトレーラ搭載機器へと電力供給を行うことを特徴とするトレーラの電力供給方法。
【請求項１０】
前記トレーラとトラクタとの連結時に、前記トラクタから受けた電力を前記所定のトレーラ搭載機器へと供給することを特徴とする請求項９記載のトレーラの電力供給方法。
【請求項１１】
前記所定のトレーラ搭載機器は、前記トレーラとトラクタとの非連結時に、消費電力が抑えられるように制御されることを特徴とする請求項９記載のトレーラの電力供給方法。
【請求項１２】
前記所定のトレーラ搭載機器は、トレーラ追跡システム用車載端末であり、当該端末からの送信情報量が制限されることにより、消費電力が抑えられることを特徴とする請求項１１記載のトレーラの電力供給装置。
【発明の詳細な説明】
【技術分野】
【０００１】
本発明は、トレーラの単体時においても、トレーラの車載機器に対して電力供給を行うことを可能とするための電力供給技術に関するものである。
【背景技術】
【０００２】
近年、トレーラにバッテリーを搭載し、トレーラとトラクタとの非連結時、すなわちトレーラの単体時において、トレーラの車載機器に対してそのバッテリーから電力供給を行うことを可能とした電力供給装置を備えるトレーラが開発されている。かかる電力供給装置により作動するトレーラの車載機器の一例として、トレーラ追跡システム用車載端末が挙げられる。トレーラ追跡システムは、例えば、トレーラが盗難の被害に遭った場合において、トレーラに搭載されたシステム用端末のＧＰＳ衛星受信機によって、トレーラの位置を正確に割り出すと共に、当該端末に設けられたパケット通信用送受信機によって、トレーラの現在位置を遠隔のトレーラ位置監視システムへと随時送信することで、トレーラの位置をリアルタイムに把握し、トレーラの盗難による被害の拡大を最小限に抑えるものである（例えば、特許文献１参照。）。
【０００３】
【特許文献１】特開２００２−１９７５９５号公報（〔請求項１〕、〔図４〕）
【発明の開示】
【発明が解決しようとする課題】
【０００４】
さて、上記システムが正常に作動するためには、トレーラとトラクタとの連結時にトラクタから電力供給を受け、トレーラ側のバッテリーを充電しておくことが必要不可欠である。そこで、トレーラ側のバッテリーにトラクタ側の電力を供給するために、従来はトレーラとトラクタとを電気的に接続するための、既存の電線カップリングを用いる手法が採られていた。すなわち、電線カップリングは、複数のジャンパーケーブルを接続するための複数のソケットを備えていることから、この複数のソケットのうち、空きソケットまたは不使用のソケットの１つをトレーラ側のバッテリー充電用回路に割当てることで、トレーラとトラクタとの連結時にトラクタから電力供給を受け、トレーラ側のバッテリーを充電することを可能としたものである。
【０００５】
しかしながら、上記手法では、トレーラ側およびトラクタ側の双方の電線カップリングに対して、トレーラ側のバッテリーを充電するためのソケットおよび専用配線を設けるように改造する必要があることから、かかる改造を施していないトラクタによってトレーラの運行を行った場合には、トレーラ側のバッテリーへの充電が不可能となるといった欠点が生じることとなった。トレーラはトラクタに対する汎用性を持つことを基本的特徴とすることから、トレーラ側のバッテリーの充電が不可能となることにより、トレーラの搭載機器の使用ができず、その結果として、当該トレーラの汎用性が低下してしまうような事態は回避する必要がある。
本発明は上記課題に鑑みてなされたものであり、その目的とするところは、トレーラの汎用性を低下させることなく、トレーラ側のバッテリーの充電を行い、トレーラの単体時において所定の搭載機器の作動を可能とすることにある。
【課題を解決するための手段】
【０００６】
上記課題を解決するための、本発明に係るトレーラの電力供給装置は、トレーラとトラクタとの連結時に当該トラクタから電力供給を受けるバッテリーを備えた電気回路と、トレーラとトラクタとの非連結時に前記バッテリーから所定のトレーラ搭載機器へと電力供給を行う電気回路とを備え、トラクタから受けた電力を前記バッテリーへと供給する電気配線として、トレーラとトラクタとの連結時に通電されるトレーラ搭載機器に係る、トレーラ側電力供給回路から分岐し、前記バッテリーへと接続される電気配線を有することを特徴とするものである。
本発明によれば、トラクタから受けた電力をバッテリーへと供給する電気配線として、トレーラとトラクタとの連結時に通電されるトレーラ搭載機器に係る、トレーラ側電力供給回路から分岐し、バッテリーへと接続される電気配線を有することで、トレーラ側およびトラクタ側の双方の電線カップリング自体に、トレーラ側のバッテリーを充電するためのソケットおよび専用配線を設ける必要をなくすことができる。すなわち、トラクタから受けた電力をバッテリーへと供給するための構成の付加を、トレーラ側のみに施すこととすれば良いこととなる。また、既存のトレーラに対し所定のトレーラ搭載機器を付加する場合であっても、トレーラの汎用性を維持することが可能となる。
【０００７】
また、本発明においては、前記所定のトレーラ搭載機器は、トレーラ追跡システム用車載端末であることが望ましい。
本発明によれば、トレーラの単体時においても、トレーラ追跡システム用車載端末を作動させて、トレーラの位置を随時遠隔のトレーラ位置監視システムに通報することが可能となる。
【０００８】
また、前記トレーラとトラクタとの連結時に通電されるトレーラ搭載機器は、常時点灯ランプであることとすれば、前記トレーラとトラクタとの連結時において、常時点灯ランプに供給される電力をもらい受けて、トレーラ側のバッテリーに常時電力を供給することが可能となる。
なお、常時点灯ランプの一例としては、サイドマーカランプが挙げられる。
【０００９】
また、本発明においては、前記トレーラとトラクタとの連結時に、前記トラクタから受けた電力を前記所定のトレーラ搭載機器へと供給する電気回路を備えることとしても良い。
かかる構成によれば、前記所定のトレーラ搭載機器を、トレーラとトラクタとの連結時においても、トラクタから直接的に電力供給を受けて、作動させることが可能となる。また、かかる連結時における所定のトレーラ搭載機器の作動時に、トレーラ側のバッテリーが消耗することを防ぐことができる。
【００１０】
また、前記所定のトレーラ搭載機器が、前記バッテリーと前記トラクタとのいずれから電力供給を受けているのかを検知する電気回路を備えることとすれば、当該電気回路を利用して前記所定のトレーラ搭載機器への電力供給源を随時特定することで、トレーラが連結状態にあるか非連結状態にあるかを把握することができる。
【００１１】
また、本発明において、前記バッテリーおよび前記所定のトレーラ搭載機器の少なくとも一方には、トレーラに対する汎用取付手段が設けられていることとすれば、既存のトレーラに対する所定のトレーラ搭載機器の付加が容易となる。
【００１２】
また、前記バッテリーおよび前記所定のトレーラ搭載端末の少なくとも一方は、トレーラのキングピン近傍のフレーム部に搭載されることとすれば、当該キングピン近傍のフレーム部がトレーラにおいて最も振動が少ない部位であることから、トレーラから前記所定のトレーラ搭載端末に伝達される振動を低減することが可能となる。
【００１３】
また、上記課題を解決するための、本発明に係るトレーラの電力供給方法は、トレーラとトラクタとの連結時に当該トラクタから電力供給を受けてトレーラのバッテリーに充電を行い、トレーラとトラクタとの非連結時に前記バッテリーから所定のトレーラ搭載機器へと電力供給を行う、トレーラの電力供給方法であって、トレーラとトラクタとの連結時に通電されるトレーラ搭載機器に係る、トレーラ側電力供給回路から、前記バッテリーへと電力を分配して、トレーラとトラクタとの連結時に前記バッテリーの充電を行い、トラクタからトレーラを分離した状態では、前記バッテリーから前記所定のトレーラ搭載機器へと電力供給を行うことを特徴とするものである。
本発明では、トレーラとトラクタとの連結時に通電されるトレーラ搭載機器への、トレーラ側電力供給回路から、前記バッテリーへと電力を分配して、トレーラとトラクタとの連結時に前記バッテリーの充電を行うことで、トレーラ側およびトラクタ側の双方の電線カップリング自体に、トレーラ側のバッテリーを充電するためのソケットおよび専用配線を設ける必要をなくすことができる。すなわち、トラクタから受けた電力をバッテリーへと供給するための構成の付加を、トレーラ側のみに施すこととすれば良いこととなる。また、既存のトレーラに対し所定のトレーラ搭載機器を付加する場合であっても、トレーラの汎用性を維持することが可能となる。
【００１４】
また、本発明において、前記トレーラとトラクタとの連結時に、前記トラクタから受けた電力を前記所定のトレーラ搭載機器へと供給することも可能である。
本発明によれば、前記所定のトレーラ搭載機器を、トレーラとトラクタとの連結時においても、トラクタから直接的に電力供給を行うことで作動させることが可能となる。また、かかる連結時における所定のトレーラ搭載機器の作動によって、トレーラ側のバッテリーが消耗することを防ぐことができる。
【００１５】
また、前記所定のトレーラ搭載機器は、前記トレーラとトラクタとの非連結時に、消費電力が抑えられるように制御されることとすれば、前記バッテリーから電力供給を受けて前記所定のトレーラ搭載機器を作動させる時間を、より長くすることが可能となる。
さらに、本発明において、前記所定のトレーラ搭載機器は、トレーラ追跡システム用車載端末であり、当該端末からの送信情報量が制限されることにより、消費電力が抑えられることとすれば、前記バッテリーから電力供給を受けて前記所定のトレーラ搭載機器を作動させる際には、重要度の高い情報に限って、トレーラ追跡システム用端末から情報を送信しつつ、トレーラとトラクタとの非連結時における情報送信時間を延長させることが可能となる。
【発明の効果】
【００１６】
本発明はこのように構成したので、トレーラの汎用性を低下させることなく、トレーラ側のバッテリーの充電を行い、トレーラの単体時において所定の搭載機器を作動させることが可能となる。
【発明を実施するための最良の形態】
【００１７】
以下、本発明を実施するための最良の形態を添付図面に基づいて説明する。
図１には、本発明の実施の形態に係る、トレーラ追跡システム用車載端末へと電力供給を行うための、トレーラの電力供給装置１０の電気回路を示している。
本発明の実施の形態に係るトレーラの電力供給装置１０は、トレーラとトラクタとの連結時に、トラクタから電力供給を受けるバッテリー１２を備えた電気回路と、トレーラとトラクタとの非連結時にバッテリー１２からトレーラ追跡システム用車載端末１４へと電力供給を行う電気回路とを備えている。そして、トラクタから受けた電力をバッテリー１２へと供給する電気配線として、トレーラとトラクタとの連結時に、常時点灯されるサイドマーカランプ１６に係るトレーラ側電力供給回路１８から分岐し、バッテリー１２へと接続される電気配線２０を有している。
【００１８】
まず、トレーラ側のバッテリー１２は電圧が１２Ｖのものを用いている。一方、トラクタから供給される電力は２４Ｖ電圧が一般的であることから、トレーラの電力供給装置１０は、ＤＣ−ＤＣコンバータ２２によって２４Ｖから１２Ｖへの電圧変換を行った後に、バッテリー１２へと充電を行うものである。
また、トレーラのサイドマーカランプ１６は、トラクタの前照燈に連動して点灯するものであるが、近年、対向車等からの視認性を向上させる目的で、日中でも前照燈を常時点灯させて運転する（その結果、サイドマーカランプ１６も常時点灯させる）機会が多くなっていることを考慮し、サイドマーカランプ１６を常時点灯ランプと位置付けて用いるものである。なお、サイドマーカランプ１６に係るトレーラ側電力供給回路１８は、従来のトレーラと同様に、トレーラとトラクタとを電気的に接続するための電線カップリングと電気的につながっており、トラクタから２４Ｖ電圧の電力供給を受けている。
【００１９】
さらに、トレーラの電力供給装置１０は、リレー４０を備えている。そして、トレーラとトラクタとが電線カップリングによって接続され、トラクタから２４Ｖ電圧の電力供給を受けているときには、リレー４０は、供給された２４Ｖ電圧の電力をトレーラ追跡システム用車載端末１４に対して、直接的に供給する状態に切り換わる。一方、トレーラとトラクタとをつなぐ電線カップリングが切り離され、トラクタからの電力供給が絶たれた場合には、リレー４０は、バッテリー１２の１２Ｖ電圧の電力をトレーラ追跡システム用車載端末１４に供給する状態へと切り換わる。
【００２０】
また、トレーラの電力供給装置１０は、トレーラとトラクタとの連結状態や、貨物の積載の有無等の管理情報を、トレーラ追跡システム用車載端末１４から送信するための、スイッチ回路４２、４４を備えている。このうち、スイッチ回路４２はトレーラとトラクタとの連結状態を検出する電気回路であり、常閉回路を構成している。そして、スイッチ回路４２を流れる電流の有無をフォトカプラ４３によって把握し、トレーラ追跡システム用端末１４への電力供給が、トラクタ側の電源からなされているのか、または、トレーラ側バッテリー１２からなされているのかの別を把握するものである。具体的には、トレーラとトラクタとが連結状態であるとき、トレーラ追跡システム用車載端末１４はトラクタ側電源から電力供給を受け、この際スイッチ回路４２を流れる電流によってフォトカプラ４３はＯＮとなる。そして、トレーラ追跡システム用端末１４から、連結状態である旨を遠隔のトレーラ位置監視システムへと送信する。
また、トレーラとトラクタとが非連結状態であるときには、トレーラ追跡システム用車載端末１４はトレーラ側バッテリー１２から電力供給を受け、この際スイッチ回路４２には電流が流れないことから、フォトカプラ４３はＯＦＦとなる。よって、トレーラ追跡システム用端末１４から、非連結状態である旨を遠隔のトレーラ位置監視システムへと送信する。このように、常時、自動的にトレーラとトラクタとの連結・解除情報を発信することが可能となるので、トラクタのドライバー等が個別に連結・解除情報を発信する操作等が不用となり、確実にトレーラとトラクタとの連結・解除を判断することができる。また、トレーラ位置監視システムによって連結状態情報を受信することで、トレーラの工程管理に活用することが可能となる。
さらに、図示の例では、寒冷地での使用を考慮して、バッテリー１２、トレーラ追跡システム用車載端末１４等のトレーラ搭載機器を保温するための、温度調整用制御回路４６、サーミスタ４８、ヒータ５０を備えている。
【００２１】
そして、トレーラの電力供給装置１０による電力供給方法は、トレーラとトラクタとの連結時にトラクタから電力供給を受けてトラクタのバッテリー１２に充電し、トレーラとトラクタとの非連結時にバッテリー１２からトレーラ追跡システム用車載端末１４へと電力供給を行う際に、トレーラとトラクタとの連結時に通電されるサイドマーカランプ１６への、トレーラ側電力供給回路１８から、バッテリー１２へと電力を分配して、トレーラとトラクタとの連結時にバッテリー１２の充電を行い、トラクタからトレーラを分離した状態では、バッテリー１２からトレーラ追跡システム用車載端末１４へと電力供給を行うものである。
また、トレーラとトラクタとの連結時に、トラクタから受けた電力をトレーラ追跡システム用車載端末１４へと供給することも可能となっている。
さらに、トレーラとトラクタとの非連結時には、トレーラ追跡システム用車載端末１４の消費電力が抑えられるように制御されることで、バッテリー１２から電力供給を受けてトレーラ追跡システム用車載端末１４を作動させる時間を、より長くすることが可能となる。なお、トレーラ追跡システム用車載端末１４の消費電力を抑える手法として、当該端末からの送信情報量を制限し、重要度の高い情報に限ってトレーラ追跡システム用端末１４から情報を送信しつつ、トレーラとトラクタとの非連結時における情報送信時間を延長させることとする。一方、トレーラとトラクタとの連結時には、かかる電力消費の制限を設けることなく、より多くの情報をトレーラ追跡システム用車載端末１４から、遠隔のトレーラ位置監視システムへと連結状態情報を送信することで、トレーラの多様な管理情報を得ることが可能となる。
【００２２】
さて、トレーラ追跡システム用車載端末１４は、図２〜図４に示すように、キャビネット２４の内部に、ＧＰＳ衛星受信機、パケット通信用送受信機等を密閉したものである。キャビネット２４の内部には、ＧＰＳアンテナ２６、パケット通信アンテナ２８が配置され、こららはキャビネット２４の内壁に直接的に固定されている。また、基板３０、ＤＣアダプタ３２、パケット通信用送受信機３４、リレー３６等が、緩衝材３８を介してキャビネット２４の内壁に固定されることで、トレーラの振動によるこれらの機器の不具合の発生を防止している。なお、基板３０には、ＤＣ−ＤＣコンバータ等を備えていることから、トレーラ追跡システム用車載端末１４は、供給される電力が１２Ｖであると２４Ｖであるとを問わず、作動することが可能である。
そして、トレーラ追跡システム用車載端末１４のキャビネット２４は、図５に示すように、トレーラ５２のキングピン近傍のフレーム部５４、例えばグースネック部に搭載される。キングピン近傍のフレーム部５４はトレーラ５２において最も振動が少ない部位であることから、トレーラ５２からトレーラ追跡システム用車載端末１４に伝達される振動を低減することが可能となる。なお、同様の理由から、バッテリー１２についてもキングピン近傍のフレーム部５４に搭載されることが望ましい。
【００２３】
さらに、トレーラ追跡システム用車載端末１４およびバッテリー１２をトレーラ５２に対し取り付けるための取り付け手段として、図６〜図８に示す取付ブラケット５６を用いる。この取付ブラケットは、キャビネット２４を固定するための取付座５８と、グースネック部等を構成するトレーラの、フレーム６０を挟持するためのクランプ６２とを一体に構成した一対の取付部材と、当該取付部材の一方に固定されるフック６４と、当該取付部材の他方に固定されるアジャストファスナー６６とで構成されている。アジャストファスナー６６は、クランプ６２に固定されるベース６８に、ピボット軸７０によってその基端部を軸着された略Ｕ字状の操作アーム７０と、操作アームの中間部に軸着される、アジャストナット７２と、アジャストナット７２に対しねじ係合されるアジャストボルト７４と、アジャストボルト７４の先端部にピボット軸７６を介して軸着されるリング７８とで構成されるものである。
【００２４】
そして、一対の取付部材のクランプ６２を対向させるようにしてフレーム６０を挟み込み、一方の取付部材のフック６４に、他方の取付部材のアジャストファスナー６６のリング６４を引掛け、操作アーム７０をフック６４に対し離間する方向へと倒すことで、一対のクランプ６２がフレーム６０に押し付けられ、取付ブラケット５６がフレーム６０に固定される。また、フレーム６０の幅に合わせて、アジャストナット７２に対しアジャストボルト７４を回転させ、リング７８の位置を調整することで、取り付けブラケット５６を確実にフレーム６０に固定することができる。取付ブラケット５６をフレーム６０に固定した後、キャビネット２４を取付ブラケット５６の取付座５８にネジ止めすることで、キャビネット２４はトレーラのフレーム６０に確実に固定されることとなる。なお、取付ブラケット５６は、バッテリー１２の固定にも用いることができる。したがって、取付ブラケット５６は、トレーラに対するバッテリー１２およびトレーラ追跡システム用車載端末１４の汎用取付手段となる。
【００２５】
上記構成をなす本発明の実施の形態によれば、次のような作用効果を得ることができる。
まず、トラクタから受けた電力をバッテリー１２へと供給する電気配線として、トレーラとトラクタとの連結時に通電されるサイドマーカランプ１６に係る、トレーラ側電力供給回路１８から分岐し、バッテリー１２へと接続される電気配線２０を有することで、トレーラ側およびトラクタ側の双方の電線カップリング自体に、トレーラ側のバッテリーを充電するためのソケットおよび専用配線を設ける必要をなくすことができる。すなわち、トラクタから受けた電力をバッテリー１２へと供給するための構成の付加を、トレーラ側のみに施すこととすれば良いこととなる。また、既存のトレーラに対しトレーラ追跡システム用車載端末１４を付加する場合であっても、トレーラの汎用性を維持することが可能となる。
したがって、トレーラの汎用性を低下させることなく、トレーラ側のバッテリー１２の充電を行い、トレーラの単体時においてトレーラ追跡システム用車載端末１４を作動させることが可能となる。
【００２６】
なお、トレーラとトラクタとの連結時には、リレー４０がサイドマーカランプ１６に係るトレーラ側電力供給回路１８の電圧を拾って、供給された２４Ｖ電圧の電力をトレーラ追跡システム用車載端末１４に対して、２４Ｖ電圧のまま直接的に供給する状態にリレー４０が切り換わることから、トレーラの盗難時等の非常事態発生時のみならず、通常の運行時においいても、トレーラに積み込まれた荷物の種類、位置等の管理情報を、トレーラ追跡システム用車載端末１４を用いて、随時遠隔のトレーラ位置監視システムに通報することも可能となる。また、かかる連結時におけるトレーラ追跡システム用車載端末１４の作動によって、バッテリー１２が消耗することを防ぐことができる。そして、この間、トラクタから供給される２４Ｖ電圧の電力が、ＤＣ−ＤＣコンバータ２２によって２４Ｖから１２Ｖへと電圧変換され、バッテリー１２へと充電されることとなる。
一方、トレーラとトラクタとをつなぐ電線カップリングが切り離され、トラクタからの電力供給が絶たれた場合には、リレー４０は、バッテリー１２の１２Ｖ電圧の電力をトレーラ追跡システム用車載端末１４に対して供給する状態へと切り換わり、トレーラの単体時に、トレーラ追跡システム用車載端末１４に対して１２Ｖ電圧の電力供給が行われることは、前述の通りである。
【００２７】
なお、本発明の実施の形態によれば、トレーラ追跡システム用車載端末１４以外のトレーラの車載機器に対しても、トレーラの単体時に電力供給を行うことが可能である。また、本発明の実施の形態では、サイドマーカランプに係るトレーラ側電力供給回路１８から、電気配線２０を分岐させて、トレーラの電力供給装置１０への電力供給を行っているが、サイドマーカランプに係るトレーラ側電力供給回路１８は、トレーラに既存の電気回路であることから、トレーラの電力供給装置１０の後付けが容易となると共に、取付対象となるトレーラを選ばないといった利点がある。また、当然に、他の常時点灯ランプ、例えばライセンスランプに係るトレーラ側電力供給回路から、電力供給を受けることとしても良く、また、トレーラとトラクタとの連結時に通電されるその他のトレーラ搭載機器に係るトレーラ側電力供給回路から、電力供給を受けることとしても良い。
【００２８】
さらに、トレーラに対するトレーラ追跡システム用車載端末１４の汎用取付手段として、取付ブラケット５６を備えることにより、既存のトレーラに対する所定のトレーラ搭載機器の付加が容易となる。
また、トレーラ追跡システム用車載端末１４は、トレーラ５２のキングピン近傍のフレーム部５４に搭載されることにより、トレーラから前記所定のトレーラ搭載端末に伝達される振動を低減することが可能となる。
【図面の簡単な説明】
【００２９】
【図１】本発明の実施の形態に係る、トレーラ追跡システム用車載端末へと電力供給を行うための、トレーラの電力供給装置の電気回路図である。
【図２】図１に示すトレーラ追跡システム用車載端末を格納するキャビネットの内部構造を示す水平断面図である。
【図３】図２のＡ―Ａ線における縦断面図である。
【図４】図２のＢ―Ｂ線における縦断面図である。
【図５】本発明の実施の形態に係るトレーラの電力供給装置を搭載したトレーラの概略的斜視図である。
【図６】図２〜図４に示すトレーラ追跡システム用車載端末を格納するキャビネットの、トレーラに対する汎用取付手段を示す平面図である。
【図７】図６のＣ−Ｃ線における縦断面図である。
【図８】図６の矢視Ｄ図である。
【符号の説明】
【００３０】
１０：トレーラの電力供給装置、１２：バッテリー、１４：トレーラ追跡システム用車載端末、１６：サイドマーカランプ、１８：トレーラ側電力供給回路、２０：電気配線、２２：ＤＣ−ＤＣコンバータ、４０：リレー
【図１】
2006015912.tif 000003
【図２】
2006015912.tif 000004
【図３】
2006015912.tif 000005
【図４】
2006015912.tif 000006
【図５】
2006015912.tif 000007
【図６】
2006015912.tif 000008
【図７】
2006015912.tif 000009
【図８】
2006015912.tif 000010